(57)【特許請求の範囲】
【請求項１】
内容物を収容して電子レンジで加熱調理することができる上方が開口した逆円錐台形の紙カップであって、胴部の上端寄り、内容物を入れた時の上端面より上方になる位置に略全周に渡って内方に向けて膨出している段差部分が形成され、該段差部分は内方に折り曲げられた部分と上方に折り曲げられた部分で構成され、該上方に向かって折り曲げられた部分が前記胴部を開口に向かって延長させた仮想線より内側に位置し、前記内容物を加熱調理した時に、前記内容物が吹き零れることを防止できることを特徴とする電子レンジ用紙カップ。
【請求項２】
前記胴部にピーター線を形成し、前記段差部分が、該ピーター線より上方に形成されていることを特徴とする請求項１記載の電子レンジ用紙カップ。
【発明の詳細な説明】
【０００１】
【発明の属する技術分野】
本発明は、食品を電子レンジなどで加熱調理（茹で上げ及び煮込み調理）する際、吹き零れを防止することを目的とした電子レンジ用紙カップに関するものである。
【０００２】
【従来の技術】
従来より、紙カップは、コールド用およびホット用の飲料用などに広く使用されている。近年では、さらに即席食品などの内容物を中に入れて電子レンジなどで加熱調理する用途にも使用されるようになっている。
【０００３】
【発明が解決しようとする課題】
しかしながら、前記従来の紙カップでは、内容物をピーター線（入れる内容物の上端を示す入れ目線）まで入れて電子レンジなどで加熱調理した場合、加熱された内容物が紙カップの外に吹き零れてしまうという問題があった。
【０００４】
この問題を解決するためには、比較的深い紙カップを用いて、内容物の量に比べて紙カップの容量を十分大きくする方法があるが、販売時に内容物を収容するので、大きな紙カップに少しの内容物が入れてある状態は、嵩張り、商品感覚的にも好ましくなく、また、コスト的にも高くなる。これらの問題を解決した加熱時の内容物の吹き零れを防止した電子レンジ用紙カップが望まれている。
【０００５】
本発明は、電子レンジなどで加熱調理する時に、加熱による内容物の吹き零れを防止した電子レンジ用紙カップを提供することを目的とするものである。
【０００６】
【課題を解決するための手段】
上記課題を解決するための本発明は、内容物を収容して電子レンジで加熱調理することができる上方が開口した逆円錐台形の紙カップであって、胴部の上端寄り、内容物を入れた時の上端面より上方になる位置に略全周に渡って内方に向けて膨出している段差部分が形成され、該段差部分は内方に折り曲げられた部分と上方に折り曲げられた部分で構成され、該上方に向かって折り曲げられた部分が前記胴部を開口に向かって延長させた仮想線より内側に位置し、前記内容物を加熱調理した時に、前記内容物が吹き零れることを防止できることを特徴とする電子レンジ用紙カップである。また、前記胴部にピーター線を形成し、前記段差部分が、該ピーター線より上方に形成されていることを特徴とする。
【０００７】
本発明によれば、紙カップの上部で中に入れた内容物の上端面より上の位置あるいはピーター線より上部側の位置に段差部分を設けることによって、内容物を電子レンジで加熱調理する時、加熱による内容物の吹き零れを未然に防止できる電子レンジ用紙カップを得ることができる。
【０００８】
【発明の実施の形態】
以下に、本発明の実施の形態について、図面を参照にして詳しく説明する。
【０００９】
図１は、本発明の電子レンジ用紙カップの参考例を示す斜視図である。電子レンジ用紙カップＡは、一般的な紙カップと同様に、胴部材１と底部材２とからなり、底部材２の外周縁部を下方へ屈曲して屈曲部２２とし、その屈曲部２２を胴部材１の下端部を内側に折り込んだ折り込み部１２と胴部１１の下端部とで挟んで加熱圧着して接合して形成されている。この接合部分を糸じり部３と称し、底部材２の底面部２１を上げ底にしている。胴部材１の胴部１１の上端は外方にカールされトップカール部１３が形成されている。
【００１０】
また、胴部１１の上部には、内容物を入れる時の内容物の上端を示す指示線であるピーター線Ｐが内面側に凸部形状で横一周に設けられている。このピーター線Ｐは、内面側に凹部形状であってもよい。
【００１１】
さらに、参考例の電子レンジ用紙カップＡでは、図２に示すように、ピーター線Ｐの上部において、段差壁Ｑで段差を付けた形状としている。つまり、参考例の電子レンジ用紙カップＡでは、段差部分Ｒが、段差壁Ｑより上側の部分を紙カップ本体部分Ｏの胴部１１の外方に向けて膨出して形成されている。
【００１２】
段差壁Ｑの位置は、内容物を入れた時に上端面より上側になる位置、ピーター線Ｐが設けられている場合には、ピーター線Ｐより上の位置で、その距離が３ｍｍ以上あることが好ましい。
【００１３】
紙カップ本体部分Ｏと段差部分Ｒとの段差幅ｒは、０．５〜５．０ｍｍの範囲が好ましい。
【００１４】
図３は、本発明の電子レンジ用紙カップの実施の形態の一実施例を示す斜視図である。電子レンジ用紙カップＢは、参考例の電子レンジ用紙カップＡと同様に、胴部材１と底部材２とからなり、底部材２の外周縁部を下方へ屈曲して屈曲部２２とし、その屈曲部５を胴部材１の下端部を内側に折り込んだ折り込み部１２と胴部１１の下端部とで挟んで加熱圧着して接合して形成されている。胴部材１の胴部１１の上端は外方にカールされトップカール部１３が形成されている。
【００１５】
また、胴部１１の上部には、内容物を入れる時の内容物の上端を示す指示線であるピーター線Ｐが内面側に凸部形状で横一周に設けられている。このピーター線Ｐは、内面側に凹部形状であってもよい。
【００１６】
さらに、本発明の電子レンジ用紙カップＢでは、図４に示すように、第一の実施の形態の電子レンジ用紙カップＡと同様に、ピーター線Ｐの上部において、段差壁Ｑ´で段差を付けた形状としている。しかし、第一の実施の形態の電子レンジ用紙カップＡと異なり、本発明の電子レンジ用紙カップの第二の実施の形態の電子レンジ用紙カップＢでは、段差部分Ｒ´が、段差壁Ｑ´より上側の部分を紙カップ本体部分Ｏの胴部１１の内方に向けて膨出して形成されている。
【００１７】
段差壁Ｑ´の位置は、第一の実施の形態の電子レンジ用紙カップＡと同様に、内容物を入れた時に上端面より上側になる位置、ピーター線Ｐが設けられている場合には、ピーター線Ｐより上の位置で、その距離が３ｍｍ以上あることが好ましい。
【００１８】
紙カップ本体部分Ｏと段差部分Ｒ´との段差幅ｒ´は、０．５〜５．０ｍｍの範囲が好ましい。
【００１９】
また、本発明の電子レンジ用紙カップを実際に電子レンジで使用すると、糸じり部３に焦げを生じるという問題もある。この点を解消するためには、糸じり部３の下部分を内側に折り曲げて折り曲げ部を形成した形状、糸じり部３を内側にカールして底カール部を形成した形状、底部材２の底面部２１を下方に凹状に形成した形状、あるいは、２つの形状を併用した形状などがあり、これらの形状を付加した電子レンジ用紙カップとすることが好ましい。
【００２０】
つぎに、本発明の電子レンジ用紙カップの胴部材１および底部材２に使用する材料の構成は、紙を主強度材とし、最内層に熱可塑性樹脂を有することを基本としている。例えば、紙／ポリエチレン、ポリエチレン／紙／ポリエチレン、ポリプロピレン／紙／ポリプロピレンなどが挙げられる。
【００２１】
主強度材となる紙としては、紙カップ成形適性の良いカップ原紙を使用することが好ましい。坪量は、とくに限定されないが、紙カップ成形適性上、１５０〜３００ｇ／ｍ2の範囲がより好ましい。
【００２２】
最内層に使用する熱可塑性樹脂は、内容物の保護、特に液状の物質を入れても洩れない機能、また、熱シールにより胴部の貼り合わせ、そして胴部と底部の接着を可能にする機能を持っている必要がある。具体的には、ポリエチレン、ポリプロピレン、ポリエステル、エチレン・酢酸ビニル共重合体などが挙げられる。厚さとしては、１５〜６０μｍの範囲が好ましい。これらの熱可塑性樹脂は、押し出し加工あるいはラミネート加工によって、最内層に形成される。
【００２３】
【実施例】
以下に、本発明の電子レンジ用紙カップについて、実際に、実施例をあげて具体的に説明する。
【００２７】
＜実施例１＞カップ原紙２８０ｇ／ｍ2 ／ポリエチレン２５μｍの構成からな積層材料を使用して、まず、一般的な紙カップと同様に、胴部材１と底部材２とからなり、底部材２の外周縁部を下方へ屈曲して屈曲部２２とし、その屈曲部２２を胴部材１の下端部を内側に折り込んだ折り込み部１２と胴部１１の下端部とで挟んで加熱圧着して接合して糸じり部３を形成した。また、胴部材１の胴部１１の上端は外方にカールしてトップカール部１３を形成した。そして、紙カップの外寸法としては、高さは１２０ｍｍ、開口部の外径（トップカール部１３の外径）は１００ｍｍ、糸じり部３下端の外径は６５ｍｍとした。また、胴部１１の上部には、内容物を入れる時の水などの量の上端を示すピーター線Ｐを、胴部１１の内面側に上端から２０ｍｍの位置に凸部形状で横一周に設けた。
【００２８】
つぎに、実施例１では、ピーター線Ｐの上部３ｍｍの位置において、段差壁Ｑ´で段差を付けた形状とした。段差壁Ｑ´より上側の部分を紙カップ本体部分Ｏの胴部１１の内方に向けて膨出した形状の段差部分Ｒ´として、その段差幅ｒ´を２．０ｍｍとし、電子レンジ用紙カップＢを作製した。
【００２９】
この実施例１の電子レンジ用紙カップＢに、内容物であるインスタントラーメンの麺、具、調味料を入れ、そして水をピーター線Ｐまで注いで電子レンジで加熱調理したところ、内容物が吹き零れることなく加熱調理することができた。
【００３０】
【発明の効果】
然るに、本発明の電子レンジ用紙カップでは、紙カップの上部で内容物の上端面より上の位置あるいはピーター線より上部側の位置に段差部分を段差壁により内方に膨出した形状に形成することによって、内容物を電子レンジで加熱調理する時、吹き零れを未然に防止することができる。すなわち、加熱された内容物は、紙カップの底部から胴部の内面壁に沿って上昇して上方に吹き零れる。内面に段差部分があることによって、吹き零れの上昇を緩和することができ、吹き零れることを防ぐことができる。従って、紙カップの大きさを内容物に対して極端に大きくすることなく、比較的浅い場合にも電子レンジなどで加熱調理する時の吹き零れを未然に防止し得る効果がある。
【図面の簡単な説明】
【図１】本発明の電子レンジ用紙カップの参考例を示す部分切り欠け断面図である。
【図２】図１上のＸ部の拡大断面図である。
【図３】本発明の電子レンジ用紙カップの実施の形態の一実施例を示す部分切り欠け断面図である。
【図４】図３上のＹ部の拡大断面図である。
【符号の説明】
Ａ 電子レンジ用紙カップ（参考例）
Ｂ 電子レンジ用紙カップ（一実施例）
１ 胴部材
２ 底部材
３ 糸じり部
１１ 胴部
１２ 折り返し部
１３ トップカール部
２１ 底面部
２２ 屈曲部
Ｏ 紙カップ本体部分
Ｐ ピーター線
Ｑ 段差壁（参考例）
Ｑ´ 段差壁（一実施例）
Ｒ 段差部分（参考例）
Ｒ´ 段差部分（一実施例）
ｒ 段差幅（参考例）
ｒ´ 段差幅（一実施例）
【図１】
0004892799.tif 000002
【図２】
0004892799.tif 000003
【図３】
0004892799.tif 000004
【図４】
0004892799.tif 000005